(57)【要約】【課題】３個のリモコン受信器により、リモコン送信機の位置を高い精度で認識することができるようにする。【解決手段】リモコン送信機１０からのリモコン信号をリモコン受信器３ａ〜３ｃによって受信し、位置認識部６により、これらのリモコン受信器３ａ〜３ｃによる受信強度に基づき、三点測量による手法によってリモコン送信機１０の方向とリモコン送信機１０までの距離を判定してリモコン送信機１０の位置を認識し、映像処理制御回路５により、該認識されたリモコン送信機１０の位置から視聴位置を判断し、該視聴位置に応じた画面のサイズ及び表示位置となる最適画面２ａが表示されるように表示パネル２に対する映像処理コントロール回路４による表示動作を制御するようにした。【選択図】図２
2008092002.tif 000002
【特許請求の範囲】
【請求項１】
画面の表示制御を行う画面表示制御装置であって、
映像データに基づき表示手段に対し表示を行わせる映像処理手段と、
リモコン送信機からのリモコン信号を受信する複数の受信手段と、
これらの受信手段による受信強度に基づき、三点測量による手法によって前記リモコン送信機の方向と前記リモコン送信機までの距離を判定することで前記リモコン送信機の位置を認識する位置認識手段と、
該位置認識手段によって認識された前記リモコン送信機の位置から視聴位置を判断し、該視聴位置に応じた画面のサイズ及び表示位置となる最適画面が表示されるように前記映像処理手段による表示動作を制御する映像処理制御手段とを備える
ことを特徴とする画面表示制御装置。
【請求項２】
前記映像処理制御手段は、いずれかの前記受信手段によって受信されたリモコン信号の内容が前記最適画面の表示の指示であると判断すると、前記位置認識手段に対して前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記位置認識手段に対して前記リモコン送信機の位置を再度認識させることを特徴とする請求項１に記載の画面表示制御装置。
【請求項３】
映像表示機器にリモコン送信機の位置に応じた画面表示を行わせる画面表示制御システムであって、
前記映像表示機器は、
映像データに基づき表示手段に対し表示を行わせる映像処理手段と、
前記リモコン送信機に対して所定のリモコン信号の自動発信を促すための信号を発信する信号発信手段と、
前記リモコン送信機からのリモコン信号を受信する複数の受信手段と、
これらの受信手段による受信強度に基づき、三点測量による手法に加え、前記信号を発信して前記リモコン信号を受信するまでカウントした時間に基づき前記リモコン送信機までの距離を判定することで前記リモコン送信機の位置を認識する位置認識手段と、
該位置認識手段によって認識された前記リモコン送信機の位置から視聴位置を判断し、該視聴位置に応じた画面のサイズ及び表示位置となる最適画面が表示されるように前記映像処理手段による表示動作を制御する映像処理制御手段とを備え、
前記リモコン送信機は、前記信号発信手段からの信号を受信すると、所定のリモコン信号を自動発信するリモコン信号発信手段を備える
ことを特徴とする画面表示制御システム。
【請求項４】
前記リモコン送信機は、前記映像表示機器に対して所定の応答信号の自動発信を促すための信号を発信するとともに、該信号を発信してから前記所定の応答信号を受信するまでの時間をカウントする信号要求カウント手段を備え、
前記位置認識手段は、前記信号要求カウント手段からの信号を受信すると、前記信号発信手段から応答信号を自動発信し、前記リモコン送信機までの距離を判定する際のカウントした時間と、前記リモコン送信機でカウントされた時間を照合し、それぞれの時間に相違がある場合、前記信号発信手段から前記リモコン送信機に対して所定のリモコン信号の自動発信を促すための信号を発信させる
ことを特徴とする請求項３に記載の画面表示制御システム。
【請求項５】
前記映像処理制御手段は、いずれかの前記受信手段によって受信されたリモコン信号の内容が前記最適画面の表示の指示であると判断すると、前記位置認識手段に対して前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記位置認識手段に対して前記リモコン送信機の位置を再度認識させることを特徴とする請求項３又は４のいずれかに記載の画面表示制御システム。
【請求項６】
画面の表示制御を行う画面表示制御方法であって、
映像データに基づき表示手段に対し表示を行わせるステップと、
リモコン送信機からのリモコン信号を複数の受信手段によって受信するステップと、
これらの受信手段による受信強度に基づき、三点測量による手法によって前記リモコン送信機の方向と前記リモコン送信機までの距離を判定することで前記リモコン送信機の位置を認識するステップと、
該認識された前記リモコン送信機の位置から視聴位置を判断し、該視聴位置に応じた画面のサイズ及び表示位置となる最適画面が表示されるように前記表示手段に対する表示動作を制御するステップとを有する
ことを特徴とする画面表示制御方法。
【請求項７】
いずれかの前記受信手段によって受信されたリモコン信号の内容が前記最適画面の表示の指示であると判断すると、前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記リモコン送信機の位置を再度認識させるステップを有することを特徴とする請求項６に記載の画面表示制御方法。
【請求項８】
映像表示機器にリモコン送信機の位置に応じた画面表示を行わせる画面表示制御方法であって、
前記映像表示機器は、
映像データに基づき表示手段に対し表示を行わせるステップと、
前記リモコン送信機に対して所定のリモコン信号の自動発信を促すための信号を発信するステップと、
前記リモコン送信機からのリモコン信号を複数の受信手段によって受信するステップと、
これらの受信手段による受信強度に基づき、三点測量による手法に加え、前記信号を発信して前記リモコン信号を受信するまでカウントした時間に基づき前記リモコン送信機までの距離を判定することで前記リモコン送信機の位置を認識するステップと、
該認識された前記リモコン送信機の位置から視聴位置を判断し、該視聴位置に応じた画面のサイズ及び表示位置となる最適画面が表示されるように前記表示手段に対する表示動作を制御するステップとを有し、
前記リモコン送信機は、前記信号を受信すると、所定のリモコン信号を自動発信するステップを有する
ことを特徴とする画面表示制御方法。
【請求項９】
前記リモコン送信機は、前記映像表示機器に対して所定の応答信号の自動発信を促すための信号を発信するとともに、該信号を発信してから前記所定の応答信号を受信するまでの時間をカウントするステップを有し、
前記映像表示機器は、該信号を受信すると、前記応答信号を自動発信し、前記リモコン送信機までの距離を判定する際のカウントした時間と、前記リモコン送信機でカウントされた時間を照合し、それぞれの時間に相違がある場合、前記リモコン送信機に対して所定のリモコン信号の自動発信を促すための信号を発信させるステップを有する
ことを特徴とする請求項８に記載の画面表示制御方法。
【請求項１０】
いずれかの前記受信手段によって受信されたリモコン信号の内容が前記最適画面の表示の指示であると判断すると、前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記リモコン送信機の位置を再度認識させるステップを有することを特徴とする請求項８又は９のいずれかに記載の画面表示制御方法。
【発明の詳細な説明】
【技術分野】
【０００１】
本発明は、視聴位置に合わせた最適な画面表示を行う画面表示制御装置、画面表示制御システム及び画面表示制御方法に関する。
【背景技術】
【０００２】
近年、大画面を有するたとえばテレビジョン受像機が普及しつつある。このようなテレビジョン受像機では、これまでのように単一の番組を大画面で視聴するといった形態や、複数の番組を一人で視聴するといった形態のみならず、複数人がマルチ画面で表示される複数の番組を別々に視聴するといった形態も可能となっている。
【０００３】
ところで、このような大画面のテレビジョン受像機では、画面全体で単一の番組を視聴するとき、視聴位置によって画面に対する左右の視聴角度の差が大きくなり、視聴に困難を生じる場合がある。
【０００４】
このような場合、視聴者の視聴位置に応じて画面のサイズ及び画面の表示位置が自動的に修正されるようにすれば、最適な視聴が行えるものと考えられる。
【０００５】
ちなみに、特許文献１では、複数のリモコン受信部を大画面高精細ディスプレイ周辺部に配置し、視聴者が保持するリモコンの位置を判断し、表示装置上の選択画面ウィンドウの表示位置を決定するようにした大画面高精細デジタルビデオ視聴システムを提案している。
【特許文献１】特開２００３−１１６０７４号公報
【発明の開示】
【発明が解決しようとする課題】
【０００６】
ところが、上述した特許文献１に示されているシステムでは、視聴者が保持するリモコンの位置を上下方向と水平方向とで判断するようにしているため、少なくとも４個のリモコン受信部が必要となるといった問題があった。
【０００７】
しかも、リモコンの位置を特定するために、それぞれのリモコン受信部でのリモコン信号の受信強度の比率に基づいて行っているため、リモコンの位置を特定するための精度が低くなってしまうばかりか、場合によってはリモコンの位置を特定できないといった問題があった。
【０００８】
本発明は、このような状況に鑑みてなされたものであり、上記問題点を解決することができる画面表示制御装置、画面表示制御システム及び画面表示制御方法を提供することを目的とする。
【課題を解決するための手段】
【０００９】
本発明の画面表示制御装置は、画面の表示制御を行う画面表示制御装置であって、映像データに基づき表示手段に対し表示を行わせる映像処理手段と、リモコン送信機からのリモコン信号を受信する複数の受信手段と、これらの受信手段による受信強度に基づき、三点測量による手法によって前記リモコン送信機の方向と前記リモコン送信機までの距離を判定することで前記リモコン送信機の位置を認識する位置認識手段と、該位置認識手段によって認識された前記リモコン送信機の位置から視聴位置を判断し、該視聴位置に応じた画面のサイズ及び表示位置となる最適画面が表示されるように前記映像処理手段による表示動作を制御する映像処理制御手段とを備えることを特徴とする。
また、前記映像処理制御手段は、いずれかの前記受信手段によって受信されたリモコン信号の内容が前記最適画面の表示の指示であると判断すると、前記位置認識手段に対して前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記位置認識手段に対して前記リモコン送信機の位置を再度認識させるようにすることができる。
本発明の画面表示制御システムは、映像表示機器にリモコン送信機の位置に応じた画面表示を行わせる画面表示制御システムであって、前記映像表示機器は、映像データに基づき表示手段に対し表示を行わせる映像処理手段と、前記リモコン送信機に対して所定のリモコン信号の自動発信を促すための信号を発信する信号発信手段と、前記リモコン送信機からのリモコン信号を受信する複数の受信手段と、これらの受信手段による受信強度に基づき、三点測量による手法に加え、前記信号を発信して前記リモコン信号を受信するまでカウントした時間に基づき前記リモコン送信機までの距離を判定することで前記リモコン送信機の位置を認識する位置認識手段と、該位置認識手段によって認識された前記リモコン送信機の位置から視聴位置を判断し、該視聴位置に応じた画面のサイズ及び表示位置となる最適画面が表示されるように前記映像処理手段による表示動作を制御する映像処理制御手段とを備え、前記リモコン送信機は、前記信号発信手段からの信号を受信すると、所定のリモコン信号を自動発信するリモコン信号発信手段を備えることを特徴とする。
また、前記リモコン送信機は、前記映像表示機器に対して所定の応答信号の自動発信を促すための信号を発信するとともに、該信号を発信してから前記所定の応答信号を受信するまでの時間をカウントする信号要求カウント手段を備え、前記位置認識手段は、前記信号要求カウント手段からの信号を受信すると、前記信号発信手段から応答信号を自動発信し、前記リモコン送信機までの距離を判定する際のカウントした時間と、前記リモコン送信機でカウントされた時間を照合し、それぞれの時間に相違がある場合、前記信号発信手段から前記リモコン送信機に対して所定のリモコン信号の自動発信を促すための信号を発信させるようにすることができる。
また、前記映像処理制御手段は、いずれかの前記受信手段によって受信されたリモコン信号の内容が前記最適画面の表示の指示であると判断すると、前記位置認識手段に対して前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記位置認識手段に対して前記リモコン送信機の位置を再度認識させるようにすることができる。
本発明の画面表示制御方法は、画面の表示制御を行う画面表示制御方法であって、映像データに基づき表示手段に対し表示を行わせるステップと、リモコン送信機からのリモコン信号を複数の受信手段によって受信するステップと、これらの受信手段による受信強度に基づき、三点測量による手法によって前記リモコン送信機の方向と前記リモコン送信機までの距離を判定することで前記リモコン送信機の位置を認識するステップと、該認識された前記リモコン送信機の位置から視聴位置を判断し、該視聴位置に応じた画面のサイズ及び表示位置となる最適画面が表示されるように前記表示手段に対する表示動作を制御するステップとを有することを特徴とする。
また、いずれかの前記受信手段によって受信されたリモコン信号の内容が前記最適画面の表示の指示であると判断すると、前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記リモコン送信機の位置を再度認識させるステップを有するようにすることができる。
本発明の画面表示制御方法は、映像表示機器にリモコン送信機の位置に応じた画面表示を行わせる画面表示制御方法であって、前記映像表示機器は、映像データに基づき表示手段に対し表示を行わせるステップと、前記リモコン送信機に対して所定のリモコン信号の自動発信を促すための信号を発信するステップと、前記リモコン送信機からのリモコン信号を複数の受信手段によって受信するステップと、これらの受信手段による受信強度に基づき、三点測量による手法に加え、前記信号を発信して前記リモコン信号を受信するまでカウントした時間に基づき前記リモコン送信機までの距離を判定することで前記リモコン送信機の位置を認識するステップと、該認識された前記リモコン送信機の位置から視聴位置を判断し、該視聴位置に応じた画面のサイズ及び表示位置となる最適画面が表示されるように前記表示手段に対する表示動作を制御するステップとを有し、前記リモコン送信機は、前記信号を受信すると、所定のリモコン信号を自動発信するステップを有することを特徴とする。
また、前記リモコン送信機は、前記映像表示機器に対して所定の応答信号の自動発信を促すための信号を発信するとともに、該信号を発信してから前記所定の応答信号を受信するまでの時間をカウントするステップを有し、前記映像表示機器は、該信号を受信すると、前記応答信号を自動発信し、前記リモコン送信機までの距離を判定する際のカウントした時間と、前記リモコン送信機でカウントされた時間を照合し、それぞれの時間に相違がある場合、前記リモコン送信機に対して所定のリモコン信号の自動発信を促すための信号を発信させるステップを有するようにすることができる。
また、いずれかの前記受信手段によって受信されたリモコン信号の内容が前記最適画面の表示の指示であると判断すると、前記リモコン送信機の位置を認識させ、前記最適画面の表示がキャンセルされていないときに、いずれかの前記受信手段によって前記最適画面の表示の指示の内容を示すリモコン信号又はそれ以外の内容を示すリモコン信号が受信されると、前記リモコン送信機の位置を再度認識させるステップを有するようにすることができる。
本発明の画面表示制御装置、画面表示制御システム及び画面表示制御方法では、リモコン送信機からのリモコン信号が複数の受信手段によって受信され、これらの受信手段による受信強度に基づき、三点測量による手法によってリモコン送信機の方向とリモコン送信機までの距離が判定されてリモコン送信機の位置が認識され、該認識されたリモコン送信機の位置から視聴位置が判断されることで、該視聴位置に応じた画面のサイズ及び表示位置となる最適画面が表示されるように表示手段に対する表示動作が制御される。
【発明の効果】
【００１０】
本発明の画面表示制御装置、画面表示制御システム及び画面表示制御方法によれば、リモコン送信機からのリモコン信号が複数の受信手段によって受信され、これらの受信手段による受信強度に基づき、三点測量による手法によってリモコン送信機の方向とリモコン送信機までの距離が判定されてリモコン送信機の位置が認識され、該認識されたリモコン送信機の位置から視聴位置が判断されることにより、該視聴位置に応じた画面のサイズ及び表示位置となる最適画面が表示されるように表示手段に対する表示動作が制御されるようにしたので、３個の受信手段により、リモコン送信機の位置を高い精度で認識することができる。
【発明を実施するための最良の形態】
【００１１】
本実施形態では、リモコン送信機からのリモコン信号を複数の受信手段によって受信し、これらの受信手段による受信強度に基づき、三点測量による手法によってリモコン送信機の方向とリモコン送信機までの距離を判定してリモコン送信機の位置を認識し、該認識したリモコン送信機の位置から視聴位置を判断し、該視聴位置に応じた画面のサイズ及び表示位置となる最適画面が表示されるように表示手段に対する表示動作を制御することで、３個の受信手段により、リモコン送信機の位置を高い精度で認識することができるようにした。
【実施例】
【００１２】
以下、本発明の実施例の詳細について説明する。図１は、本発明の画面表示制御装置をテレビジョン受像機に適用した場合の一実施例を説明するための図である。
【００１３】
図１に示すテレビジョン受像機１は、リモコン送信機１０の位置を特定することで、視聴者の視聴位置を判断し、その視聴位置に合わせた最適な画面表示を行う機能を有するものであり、表示パネル２と、リモコン受信器３ａ〜３ｃとを備えている。
【００１４】
ここで、リモコン送信機１０の位置は、表示パネル２に対してのリモコン送信機１０の方向と距離とを認識することで特定される。また、最適な画面表示とは、表示パネル２に対する視聴位置の方向に合わせた画面の表示位置と、表示パネル２に対する視聴位置までの距離に応じた画面のサイズとを最適化することであり、以下、その最適化された画面を最適画面２ａとして説明する。
【００１５】
表示パネル２は、映像を表示するものであり、ＬＣＤ（Ｌｉｑｕｉｄ  Ｃｒｙｓｔａｌ  Ｄｉｓｐｌａｙ）、ＥＬ（Ｅｌｅｃｔｒｏ  Ｌｕｍｉｎｅｓｃｅｎｃｅ）、ＰＤＰ（Ｐｌａｓｍａ  Ｄｉｓｐｌａｙ  Ｐａｎｅｌ）等の表示器を用いることができる。
【００１６】
リモコン受信器３ａ〜３ｃは、リモコン送信機１０からの通常のリモコン信号を受信するとともに、そのリモコン信号の受信に併せて三点測量による手法によってリモコン送信機１０の位置を認識するために、たとえば表示パネル２の周囲の３個所に設けられているものである。
【００１７】
ここで、三点測量とは、各リモコン受信器３ａ〜３ｃによって受信されたリモコン信号のそれぞれの受信強度から表示パネル２上の位置Ｏ１と、その位置Ｏ１からのリモコン送信機１０の方向Ｐとを求めるとともに、それぞれの受信強度の比率の逆数をとるなどの手法によってその位置Ｏ１からリモコン送信機１０までの距離を求めることである。
【００１８】
ちなみに、各リモコン受信器３ａ〜３ｃでのリモコン信号のそれぞれの受信強度が同じである場合、受信強度から得られる表示パネル２上の位置は表示パネル２の中心Ｏとなる。
【００１９】
なお、リモコン送信機１０からのリモコン信号としては、赤外線又は超音波によるパルス信号を用いることができる。また、リモコン受信器３ａ〜３ｃは、赤外線又は超音波によるパルス信号を受信できるものであればよい。
【００２０】
また、図１においては、表示パネル２の上部に２個のリモコン受信器３ａ，３ｂを配置し、表示パネル２の下部に１個のリモコン受信器３ｃを配置しているが、これに限らず、表示パネル２の上部に１個のリモコン受信器３ａを配置し、表示パネル２の下部に２個のリモコン受信器３ｂ，３ｃを配置してもよい。
【００２１】
また、表示パネル２の下部に１個のリモコン受信器３ｃを配置する場合、図１のように、右端に限らず、表示パネル２の中央部付近であってもよいし、表示パネル２の左端であってもよい。同様に、表示パネル２の上部に１個のリモコン受信器３ａを配置する場合、表示パネル２の右端に限らず、表示パネル２の中央部付近であってもよいし、表示パネル２の左端であってもよい。
【００２２】
図２は、テレビジョン受像機１の制御系を説明するための図である。同図に示すテレビジョン受像機１の制御系１Ａは、映像処理コントロール回路４、映像処理制御回路５、位置認識部６を備えている。
【００２３】
映像処理コントロール回路４は、テレビジョン放送等の映像データを復号処理し、その復号処理した映像データのＡ／Ｖ信号を液晶表示パネル２に出力し、液晶表示パネル２に映像を表示させる。
【００２４】
なお、Ａ／Ｖ信号を液晶表示パネル２に出力するに際しては、たとえば選局したデジタル放送信号の場合、そのデジタル放送信号を復調し、ＭＰＥＧ２符号化方式等で符号化されている映像、音声、データが多重されたトランスポートストリームから映像データ、音声データ、電子番組表データ等の各種データを分離・抽出し、その分離・抽出した映像データ及び音声データに対しＭＰＥＧ２等の復号処理が行われる。
【００２５】
なお、映像データは、デジタル放送信号における映像データであってもよいし、ビデオ、ＣＤ、ＤＶＤ等を再生する再生機器からの映像データのいずれであってもよい。
【００２６】
映像処理制御回路５は、リモコン受信器３ａ〜３ｃによって受信されたリモコン送信機１０からの選局、音量調整、画質調整等のリモコン信号の内容に応じて映像処理コントロール回路４を制御する。なお、リモコン受信器３ａ〜３ｃによって受信されるリモコン信号の内容は全て同じであるため、ここではたとえばリモコン受信器３ａによって受信されたリモコン信号の内容に応じて映像処理コントロール回路４を制御するものとする。
【００２７】
また、映像処理制御回路５は、たとえばリモコン送信機１０に最適画面２ａを表示させる最適画面表示ボタンが設けられていて、その最適画面表示ボタンが操作されると、位置認識部６に対してリモコン送信機１０の位置認識を指示する。また、映像処理制御回路５は、位置認識部６によって認識されたリモコン送信機１０の位置から、視聴者の視聴位置を判断し、その視聴位置に合わせた最適画面２ａとなるように、映像処理コントロール回路４を制御する。
【００２８】
すなわち、映像処理制御回路５により、表示パネル２に対する視聴位置の方向に合わせて最適画面２ａの表示位置が制御されるとともに、表示パネル２に対する視聴位置までの距離に応じて最適画面２ａのサイズが制御される。なお、表示パネル２に対する視聴位置の方向に合わせた画面の表示位置と、表示パネル２に対する視聴位置までの距離に応じた画面のサイズを制御する場合、予め図示しないテーブルに視聴位置の方向及び距離に合わせた制御データを登録しておき、位置認識部６によって認識された結果に応じて制御データを読み出し、映像処理コントロール回路４が制御されるようにすることができる。
【００２９】
位置認識部６は、映像処理制御回路５の指示に従い、リモコン受信器３ａ〜３ｃによってリモコン送信機１０からのリモコン信号が受信される度に、各リモコン受信器３ａ〜３ｃによって受信されたリモコン信号のそれぞれの受信強度に基づき、表示パネル２上の位置Ｏ１からのリモコン送信機１０の方向Ｐを求めるとともに、それぞれの受信強度の比率の逆数をとるなどの手法によって位置Ｏ１からリモコン送信機１０までの距離を求める。
【００３０】
すなわち、たとえば図３に示すように、表示パネル２の中心Ｏからの垂線Ｓに沿った方向でリモコン送信機１０が操作され、そのリモコン信号が各リモコン受信器３ａ〜３ｃによって受信された場合、各リモコン受信器３ａ〜３ｃでのリモコン信号のそれぞれの受信強度が同じとなる。
【００３１】
これに対し、表示パネル２の中心Ｏからの垂線Ｓからずれた位置でリモコン送信機１０が操作されると、各リモコン受信器３ａ〜３ｃでのリモコン信号のそれぞれの受信強度が異なるため、それぞれ異なる受信強度に合わたリモコン送信機１０の位置算出を行うことにより、表示パネル２上の位置Ｏ１とその位置Ｏ１からのリモコン送信機１０の方向Ｐとを求めることができる。また、表示パネル２上のＯ１からリモコン送信機１０までの距離は、それぞれの受信強度の比率の逆数をとるなどの手法によって求める。
【００３２】
次に、テレビジョン受像機１による画面表示制御方法について説明する。なお、以下の説明においては、上述したように、たとえばリモコン送信機１０に最適画面２ａを表示させる最適画面表示ボタンが設けられていて、その最適画面表示ボタンの操作に応じたリモコン信号が受信されると、位置認識部６によって認識されたリモコン送信機１０の位置に応じて最適画面２ａが表示されるものとする。
【００３３】
また、最適画面２ａの表示がキャンセルされていないときに、再度、最適画面表示ボタンの操作に応じたリモコン信号が受信されるか、あるいは選局、音量調整、画質調整等のリモコン信号が受信されると、再度、位置認識部６によって認識されたリモコン送信機１０の位置に応じて最適画面２ａが表示されるものとする。
【００３４】
そして、まず、図４に示すように、リモコン送信機１０の最適画面表示ボタンが操作されると、そのリモコン信号がリモコン受信器３ａ〜３ｃによって受信される（ステップＳ１）。このとき、映像処理制御回路５により、たとえばリモコン受信器３ａによって受信されたリモコン信号の内容が最適画面表示であるか否かが判断され（ステップＳ２）、最適画面表示でなければそのリモコン信号の内容に応じて映像処理コントロール回路４が制御される（ステップＳ３）。
【００３５】
これに対し、最適画面表示と判断されると、位置認識部６に対してリモコン送信機１０の位置認識が指示され（ステップＳ４）、位置認識部６により三点測量による手法によってリモコン送信機１０の位置が認識される（ステップＳ５）。
【００３６】
すなわち、たとえば図３で説明したように、表示パネル２の中心Ｏからの垂線Ｓからずれた位置でリモコン送信機１０が操作されると、各リモコン受信器３ａ〜３ｃでのリモコン信号のそれぞれの受信強度が異なり、それぞれ異なる受信強度に合わせたリモコン送信機１０の位置算出を行うことで、表示パネル２上の位置Ｏ１とその位置Ｏ１からのリモコン送信機１０の方向Ｐとが求められる。また、表示パネル２上の位置Ｏ１からリモコン送信機１０までの距離は、それぞれの受信強度の比率の逆数をとるなどの手法によって求められる。
【００３７】
このようにして、位置認識部６によりリモコン送信機１０の位置が認識されることで、視聴者の視聴位置が判断され、映像処理制御回路５により映像処理コントロール回路４が制御されて液晶表示パネル２に視聴位置に応じた画面のサイズと画面の表示位置とが最適化された最適画面２ａが表示される（ステップＳ６）。
【００３８】
すなわち、映像処理制御回路５により、表示パネル２に対する視聴位置の方向に合わせて最適画面２ａの表示位置が制御されるとともに、表示パネル２に対する視聴位置までの距離に応じて最適画面２ａのサイズが制御される。
【００３９】
また、最適画面２ａの表示がキャンセルされていないときに、視聴者が図５に示すように、液晶表示パネル２に対して近づき、しかも右側に寄った位置に移動してリモコン送信機１０を操作すると、上記同様に、リモコン送信機１０の位置が認識されることで、視聴者の視聴位置が判断され、その視聴位置に応じた画面のサイズと画面の表示位置とが最適化された最適画面２ａが表示される。
【００４０】
このように、本実施例では、リモコン送信機１０からのリモコン信号をリモコン受信器３ａ〜３ｃによって受信し、位置認識部６により、これらのリモコン受信器３ａ〜３ｃによる受信強度に基づき、三点測量による手法によってリモコン送信機１０の方向とリモコン送信機１０までの距離を判定してリモコン送信機１０の位置を認識し、映像処理制御回路５により、該認識されたリモコン送信機１０の位置から視聴位置を判断し、該視聴位置に応じた画面のサイズ及び表示位置となる最適画面２ａが表示されるように表示パネル２に対する映像処理コントロール回路４による表示動作を制御するようにしたので、３個のリモコン受信器３ａ〜３ｃにより、リモコン送信機１０の位置を高い精度で認識することができる。
【００４１】
なお、本実施例では、位置認識部６により、各リモコン受信器３ａ〜３ｃによる受信強度の比率に応じ、三点測量による手法によってリモコン送信機１０の位置を認識する場合について説明したが、この例に限らず、その三点測量による手法に、テレビジョン受像機１とリモコン送信機１０とで双方向通信を行わせ、リモコン送信機１０までの距離を測定する手法を組み合わせるようにしてもよい。
【００４２】
この場合、図６に示すように、たとえばテレビジョン受像機１側に、リモコン送信機１０に対してリモコン信号の自動発信を促すパルス信号を出力するための信号発信器３ｄを設け、リモコン送信機１０側に信号発信器３ｄからのパルス信号を受信すると、所定のリモコン信号（パルス信号）を自動発信するリモコン信号発信器１１を設ける。
【００４３】
そして、信号発信器３ｄからのパルス信号でリモコン送信機１０のリモコン信号発信器１１から所定のリモコン信号（パルス信号）が送信されるようにし、信号発信器３ｄからパルス信号を発信してリモコン信号発信器１１からの所定のリモコン信号（パルス信号）を受信するまでの時間を計測することでリモコン送信機１０までの距離を測定することができる。
【００４４】
すなわち、リモコン送信機１０までの距離を測定する場合、たとえば図７（ａ）に示すような信号発信器３ｄから発信されたパルス信号と、図７（ｂ）に示すような受信したパルス信号との時間差を、図７（ｃ）に示すような発信及び受信のパルス信号より周期の短いカウントパルスでカウントし、そのカウントパルスの数に応じて判定することができる。なお、カウントパルスの周期は、予め実測値に基づき設定しておけばよい。
【００４５】
これにより、リモコン送信機１０の位置の認識に併せ、リモコン送信機１０までの正確な距離を認識することが可能となり、リモコン送信機１０の位置の認識精度が高くなることから、上述した最適画面２ａの表示精度をさらに高めることができる。
【００４６】
また、テレビジョン受像機１側とリモコン送信機１０側とでそれぞれパルス信号の送受信を行い、時間をカウントしてそれぞれのカウント値を照合するようにしてもよい。この場合、リモコン送信機１０にテレビジョン受像機１に対して所定の応答信号の自動発信を促すための信号を発信するとともに、該信号を発信してから所定の応答信号を受信するまでの時間をカウントする信号要求カウント手段を設ける。
【００４７】
一方、テレビジョン受像機１側では、たとえば位置認識部６が信号要求カウント手段からの信号を受信すると、信号発信器３ｄから応答信号を自動発信させ、リモコン送信機１０までの距離を判定する際のカウントした時間と、リモコン送信機１０でカウントされた時間を照合し、それぞれの時間に相違がある場合、信号発信器３ｄからリモコン送信機１０に対して所定のリモコン信号の自動発信を促すための信号を発信させるようにする。
【００４８】
すなわち、たとえば図８に示すように、（１）でリモコン送信機１０から所定のリモコン信号（パルス信号）を送信し、時間をカウントする。次に、テレビジョン受像機１側では、（２）でその所定のリモコン信号（パルス信号）の受信に合わせ、（３）で所定の信号（パルス信号）を送信し、時間をカウントする。
【００４９】
次に、リモコン送信機１０側では、（４）でテレビジョン受像機１からの所定の信号（パルス信号）を受信し、カウントした時間から距離を判別し、さらに（５）で所定のリモコン信号（パルス信号）を送信する。テレビジョン受像機１側では、（６）でリモコン送信機１０からの所定のリモコン信号（パルス信号）を受信し、カウントした時間から距離を判別する。
【００５０】
ここで、（４）と（６）での時間に相違があれば、たとえば（３）〜（６）を繰り返す。これにより、リモコン送信機１０の位置の認識精度がさらに高められる。
【００５１】
なお、テレビジョン受像機１側の信号発信器３ｄからのパルス信号としては、リモコン送信機１０で用いることができる、上述した赤外線又は超音波による信号とすることができる。
【産業上の利用可能性】
【００５２】
映像が表示されるものであればよく、テレビジョン受像機に限らず、大型ディスプレイに映像を表示させるシステム機器にも適用可能である。
【図面の簡単な説明】
【００５３】
【図１】本発明の画面表示制御装置をテレビジョン受像機に適用した場合の一実施例を説明するための図である。
【図２】図１のテレビジョン受像機の制御系を説明するための図である。
【図３】図２の位置認識部によるリモコン送信機の位置認識について説明するための図である。
【図４】図１のテレビジョン受像機による画面表示制御方法について説明するためのフローチャートである。
【図５】図１のテレビジョン受像機による画面表示制御方法について説明するための図である。
【図６】図２のテレビジョン受像機の制御系の構成を変えた場合の他の実施例を説明するための図である。
【図７】図６のテレビジョン受像機による画面表示制御方法について説明するための図である。
【図８】図６のテレビジョン受像機による画面表示制御方法の他の例について説明するための図である。
【符号の説明】
【００５４】
１  テレビジョン受像機
１Ａ  制御系
２  表示パネル（表示手段）
２ａ  最適画面
３ａ〜３ｃ  リモコン受信器（受信手段）
３ｄ    信号発信器（信号発信手段）
４  映像処理コントロール回路（映像処理手段）
５  映像処理制御回路（映像処理制御手段）
６  位置認識部（位置認識手段）
１０  リモコン送信機
１１  リモコン信号発信器（リモコン信号発信手段）
【図１】
2008092002.tif 000003
【図２】
2008092002.tif 000004
【図３】
2008092002.tif 000005
【図４】
2008092002.tif 000006
【図５】
2008092002.tif 000007
【図６】
2008092002.tif 000008
【図７】
2008092002.tif 000009
【図８】
2008092002.tif 000010